(57)【要約】【課題】吸収性物品において、体液が漏れるトラブルを防止すること。【解決手段】人体との接触面側に設けられる透液性のトップシート（１０）と、バックシート（２０）と、トップシートとバックシートとの間に介装される、体液を吸収する吸収体コア（３）を有する吸収体（３０）と、ギャザー部（ギャザーシート４０）を備える吸収性物品（例えば、紙おむつ１００）において、その吸収体コアの四隅に外方に凸の湾曲形状を有する第１の隅部（３３Ａ）、第２の隅部（３３Ｂ）を設け、ギャザー部が、その第１の隅部、第２の隅部に沿うように起立するようにした。【選択図】  図１
2004298395.tif 000002
【特許請求の範囲】
【請求項１】
体液を吸収する吸収コアを有する吸収体と、前記吸収体の腹側端部から背側端部にかけて設けられる左右一対のギャザー部と、を備える吸収性物品であって、前記吸収体コアの中央部から長手方向腹側端部側に１５０〜２５０ｍｍの位置を基点として当該吸収体コアの長手方向端部の終点まで面取りされた第１の隅部と、前記吸収体コアの中央部から長手方向背側端部側に１００〜２００ｍｍの位置を基点として当該吸収体コアの長手方向端部の終点まで面取りされた第２の隅部との、少なくとも一方が設けられ、
前記吸収体の腹側端部及び背側端部に位置して幅方向に収縮する弾性部材が配されていることを特徴とする吸収性物品。
【請求項２】
前記吸収体コアの前記第１の隅部及び前記第２の隅部とは、外方に凸の湾曲形状であることを特徴とする請求項１に記載の吸収性物品。
【請求項３】
前記湾曲形状は、前記第１の隅部における前記基点と前記終点とを結ぶ基本線と、前記第２の隅部における前記基点と前記終点とを結ぶ基本線とを、それぞれ幅方向に前記ギャザー部の高さ分だけ幅方向に平行移動させた平行線に接する形状になっていることを特徴とする請求項２に記載の吸収性物品。
【請求項４】
人体との接触面側に設けられる透液性のトップシートと、バックシートと、を備え、
前記吸収体は、前記トップシートと前記バックシートとの間に介装され、
前記吸収体には、前記バックシートに貼付されて固定される貼付領域が設けられており、
前記貼付領域の前記吸収体における幅方向の長さは、前記吸収体における長手方向の端部側より、長手方向の中央側の方が短いことを特徴とする請求項１〜３の何れか一項に記載の吸収性物品。
【請求項５】
前記吸収体には、前記バックシートに貼付されて固定される貼付領域と、前記バックシートに貼付されない非貼付領域とが設けられ、
前記非貼付領域は、前記吸収体コアに前記第１の隅部及び第２の隅部とが設けられた部分における前記吸収体の幅方向の全域に亘って設けられていることを特徴とする請求項４に記載の吸収性物品。
【発明の詳細な説明】
【０００１】
【発明の属する技術分野】
本発明は、吸収性物品に関する。
【０００２】
【従来の技術】
従来より、使い捨ての紙おむつや尿取りパッド等に代表される吸収性物品が知られている。そして、例えば、図７に示される紙おむつ２００を下腹部に着用することにより、失禁により排出された尿などの体液をその紙おむつ２００に備えられた吸収体３００に吸収させることができる（例えば、特許文献１参照。）。
【０００３】
【特許文献１】
特開２００１−１７８７７１号公報
【０００４】
【発明が解決しようとする課題】
しかしながら、上記特許文献１の場合、吸収体３００の角部がギャザーシート４００の起立を妨げる場合があり、体液が漏れてしまうことがあった。
【０００５】
本発明の課題は、吸収性物品において体液が漏れるトラブルを防止することである。
【０００６】
【課題を解決するための手段】
以上の課題を解決するため、請求項１記載の発明は、
体液を吸収する吸収コア（３）を有する吸収体（３０）と、前記吸収体の腹側端部（３０Ａ）から背側端部（３０Ｂ）にかけて設けられる左右一対のギャザー部（例えば、ギャザーシート４０）と、を備える吸収性物品（例えば、紙おむつ１００）であって、
前記吸収体コアの中央部から長手方向腹側端部側に１５０〜２５０ｍｍの位置を基点（α）として当該吸収体コアの長手方向端部の終点（α’）まで面取りされた第１の隅部（３３Ａ）と、前記吸収体コアの中央部から長手方向背側端部側に１００〜２００ｍｍの位置を基点（α）として当該吸収体コアの長手方向端部の終点（α’）まで面取りされた第２の隅部（３３Ｂ）との、少なくとも一方が設けられ、
前記吸収体の腹側端部及び背側端部に位置して幅方向に収縮する弾性部材（例えば、糸ゴム２１）が配されていることを特徴とする。
【０００７】
請求項１記載の発明によれば、吸収性物品が使用される際、吸収性物品における吸収体の腹側端部及び背側端部に位置して幅方向に配された弾性部材が収縮する。この弾性部材の収縮に応じて、吸収体はその幅方向の中心側に向かって収縮する。そして、ギャザー部の腹側端部及び背側端部に位置する端部がその幅方向の中心側に寄せられる。
ギャザー部の端部が中心側に寄せられる際、吸収体の吸収体コアの四隅は面取りされて第１の隅部及び第２の隅部が形成されているので、ギャザー部の端部は、第１の隅部及び第２の隅部においてその形状に沿うように寄せられる。
このように、ギャザー部の端部が前隅部及び後隅部の形状に沿うように寄せられることにより、ギャザー部にはしわがよりにくい状態が保たれる。そしてギャザー部が好適に起立した状態を維持することができる。
【０００８】
ここで、第１の隅部における吸収体コアの中央部から長手方向腹側端部側に１５０〜２５０ｍｍの位置は、吸収性物品における男性排尿口の位置に相当し、また、第２の隅部における吸収体コアの中央部から長手方向背側端部側に１００〜２００ｍｍの位置は、吸収性物品における座骨底部の位置に相当する。
つまり、第１の隅部において起立したギャザー部は男性排尿口付近を覆うことができ、第２の隅部において起立したギャザー部は座骨底部付近を覆うことができる。
【０００９】
よって、好適に起立したギャザー部は、より人体と吸収性物品との間に隙間が生じにくくすることができ、吸収性物品から体液が漏れるトラブルを防止することができる。特に、ギャザー部は男性排尿口付近と座骨底部付近を覆うことができるので、より好適に吸収性物品から体液が漏れるトラブルを防止することができる。
【００１０】
請求項２記載の発明は、請求項１に記載の吸収性物品において、
前記吸収体コアの前記第１の隅部及び前記第２の隅部とは、外方に凸の湾曲形状であることを特徴とする。
【００１１】
請求項２記載の発明によれば、請求項１に記載の発明と同様の作用を奏するとともに、吸収体コアの第１の隅部及び第２の隅部とは、外方に凸の湾曲形状を有するので、ギャザー部の端部は、吸収体コアの湾曲形状に沿うように寄せられ、丸みを帯びた形状を呈しやすくなる。
よって、ギャザー部は、丸みを帯びた形状を呈することにより人体を包み込みやすくなり、より人体と吸収性物品との間に隙間が生じにくくすることができ、吸収性物品から体液が漏れるトラブルを防止することができる。
また、第１の隅部及び第２の隅部が湾曲形状を有する吸収体コアや、ギャザー部が丸みを帯びた形状を呈することにより、吸収性物品自体が丸みを帯びた形状を呈しやすくなるので、丸みを帯びた人体へフィットしやすくなり、体液が漏れるトラブルを防止するとともに吸収性物品の着用時の使用感が向上する。
【００１２】
請求項３記載の発明は、請求項２に記載の吸収性物品において、
前記湾曲形状は、前記第１の隅部における前記基点と前記終点とを結ぶ基本線（例えば、α−α’線）と、前記第２の隅部における前記基点と前記終点とを結ぶ基本線（例えば、α−α’線）とを、それぞれ幅方向に前記ギャザー部の高さ分だけ幅方向に平行移動させた平行線（β）に接する形状になっていることを特徴とする。
【００１３】
請求項３記載の発明によれば、請求項２に記載の発明と同様の作用を奏するとともに、吸収体コアの湾曲形状は、第１の隅部における基点と終点とを結ぶ基本線と、第２の隅部における基点と終点とを結ぶ基本線とを、それぞれ幅方向にギャザー部の高さ分だけ幅方向に平行移動させた平行線に接するように形成されているので、より好適にギャザー部にしわをよせずになめらかに広げつつ、起立させることができる。
【００１４】
請求項４記載の発明は、請求項１〜３の何れか一項に記載の吸収性物品において、
人体との接触面側に設けられる透液性のトップシート（１０）と、バックシート（２０）と、を備え、
前記吸収体は、前記トップシートと前記バックシートとの間に介装され、
前記吸収体には、前記バックシートに貼付されて固定される貼付領域（３ａ，３ｂ，３ｃ，３ｄ，３ｅ）が設けられており、
前記貼付領域の前記吸収体における幅方向の長さは、前記吸収体における長手方向の端部側より、長手方向の中央側の方が短いことを特徴とする。
【００１５】
請求項４記載の発明によれば、請求項１〜３の何れか一項に記載の発明と同様の作用を奏するとともに、吸収体に設けられた貼付領域の幅方向の長さは、吸収体における長手方向の端部側より、長手方向の中央側の方が短いので、吸収性物品は、より中央側でフィットしやすくなる。つまり、吸収性物品は股下部において好適にフィットすることにより、体液の吸収をしっかり行うことができる。
【００１６】
請求項５記載の発明は、請求項４に記載の吸収性物品において、
前記吸収体には、前記バックシートに貼付されて固定される貼付領域（３ａ，３ｂ，３ｃ，３ｄ，３ｅ）と、前記バックシートに貼付されない非貼付領域（ＮＢ）とが設けられ、
前記非貼付領域は、前記吸収体コアに前記第１の隅部及び前記第２の隅部とが設けられた部分における前記吸収体の幅方向の全域に亘って設けられていることを特徴とする。
【００１７】
請求項５記載の発明によれば、請求項４に記載の発明と同様の作用を奏するとともに、吸収体にはバックシートに貼付されて固定される貼付領域と、バックシートに貼付されない非貼付領域とが設けられている。
その非貼付領域は、吸収体コアに第１の隅部及び第２の隅部とが設けられた部分における吸収体の幅方向の全域に亘って設けられているので、吸収体の腹側端部及び背側端部に位置して幅方向に配された弾性部材の収縮に応じて、バックシートが幅方向の中心側に向かって収縮する際に、吸収体の腹側端部及び背側端部はバックシートが収縮することによる影響を受けにくく、その形状を維持する。従って、ギャザー部は、その形状が維持される吸収体の吸収体コアの形状に沿いやすくなる。
よって、ギャザー部はより好適に起立しやすくなり、より人体と吸収性物品との間に隙間が生じにくくすることができ、吸収性物品から体液が漏れるトラブルを防止することができる。
【００１８】
【発明の実施の形態】
以下、本発明の実施の形態を、図面を参照しながら詳細に説明する。
本実施の形態においては、吸収性物品としての男性用の使い捨て紙おむつを一例として説明する。
図１は、本発明にかかる紙おむつ１００を示す斜視図であり、図２は、紙おむつ１００の両脇部分を切り離して展開した平面図である。図３は、図２のＩＩＩ−ＩＩＩ線における断面を模式的に示す説明図である。
【００１９】
紙おむつ１００は、人体との接触面側に設けられる透液性のトップシート１０と、使用装着時に外部側に設けられる不透液性のバックシート２０と、トップシート１０とバックシート２０との間に介装される吸収体３０と、使用装着時の内部側に設けられる左右一対のギャザー部としてのギャザーシート４０，４０等により構成されている。
【００２０】
吸収体３０は、紙おむつ１００の使用時に体液としての尿等の水様成分を吸収するものであり、綿やパルプ等の吸収性素材や、繊維或いはフィルム等のシート状基材と高吸水性樹脂とが組み合わされて形成された吸収体コア３が、透液性のクレープ紙３１により覆われて構成されている。
吸収体３０は、人体の前胴周りから両脚の間を通り後胴周りに亘る位置に装着されるように、股下部における股下両端部３０Ｃ間の幅を短尺、前胴周りにあたる腹側端部３０Ａから後胴周りにあたる背側端部３０Ｂにかけてを長尺とする、図２に示すような略長方形状に形成されている。
【００２１】
また、吸収体コア３における腹側端部３０Ａの角部には第１の隅部である前隅部３３Ａが、背側端部３０Ｂの角部には第２の隅部である後隅部３３Ｂが、それぞれ外側（吸収体コア３の外方）に凸の湾曲形状（例えば、Ｒカーブ形状）となるように設けられている。
この吸収体コア３の前隅部３３Ａと後隅部３３Ｂの湾曲形状は、図２、図４に示されるように、吸収体コア３の中央部を基準にして設定した基点αと、吸収体コア３の端部における終点α’とを結ぶ基本線α−α’を吸収体コア３の幅方向にギャザーシート４０の高さ分（Ｈ）だけ平行移動させた平行線βに接するように設けられている。
【００２２】
この基点αは、図２に示されるように、吸収体コア３の中央部から長手方向腹側端部側に１５０〜２５０ｍｍの位置を前側の基点α、吸収体コア３の中央部から長手方向背側端部側に１００〜２００ｍｍの位置を後側の基点αとして設定されている。また、腹側端部３０Ａの所定位置には前側の終点α’、背側端部３０Ｂの所定位置には後側の終点α’が設けられている。
なお、この吸収体コア３の中央部から長手方向腹側端部側に１５０〜２５０ｍｍの位置は男性排尿口の位置に相当しており、吸収体コア３の中央部から長手方向背側端部側に１００〜２００ｍｍの位置は座骨底部の位置に相当している。
【００２３】
この吸収体３０は、紙おむつ１００におけるバックシート２０にホットメルトなどによって貼付されて固定されている。本発明にかかる紙おむつ１００においては、図２に示されるように、吸収体コア３に前隅部３３Ａ、後隅部３３Ｂが設けられた部分における吸収体３０の幅方向の全域に亘っては、非貼付領域ＮＢが設けられており、この非貼付領域ＮＢにおいては、吸収体３０はバックシート２０に貼付されないようになっている。
そして、本発明にかかる紙おむつ１００においては、図２に示されるように、その非貼付領域ＮＢ以外である５箇所に貼付領域３ａ，３ｂ，３ｃ，３ｄ，３ｅを設け、この貼付領域において、吸収体３０は、ホットメルトによりバックシート２０に貼付されて固定されている。
なお、股下部に相当する貼付領域３ｃは、他の貼付領域３ａ，３ｂ，３ｄ，３ｅより、その幅方向の長さが短く設定されている。
【００２４】
トップシート１０は、透液性を有する不織布で、吸収体３０の表面側（人体側）を覆う形状に形成されている。
バックシート２０は、不透液性を有する不織布で、吸収体３０の裏面側（装着時における外部側）を覆う形状に形成されている。
【００２５】
トップシート１０やバックシート２０、後述するギャザーシート４０等を形成する不織布の素材としてとしては、天然繊維、合成繊維のいずれを用いてもよい。天然繊維の例としては、綿、セルロース（木材パルプ）、羊毛、絹等が挙げられる。また合成繊維としては、ポリプロピレン（ＰＰ）、ポリエチレン（ＰＥ）、ナイロン、ポリエステル（ＰＥＴ）、アクリル等が挙げられ、またＰＥ／ＰＰ混合不織布、ＰＥ／ＰＥＴ混合不織布、また、上記素材を適宜組み合わせたバイコンポーネント繊維（混合繊維）も用いることができる。
【００２６】
また、これらの繊維性素材から不織布を製造する方法としては、公知の方法を適宜用いることができ、例えば、ケミカルボンド、サーマルボンド、スパンレース等のいずれの方法を用いてもよく、また合成繊維等では、スパンボンド法、メルトブロー法、またこれらと上記の接着方法の組み合わせ等、いずれの方法を用いて製造してもよい。
【００２７】
なお、バックシート２０やギャザーシート４０は不透液性とするため、特に、疎水性または撥水性の高い素材で製造することが望ましく、また、その不織布には疎水性または撥水性を高くする加工が施されている。
【００２８】
また、より外部側へ水様成分が漏出しにくいように、吸収体３０とバックシート２０の間には、防水フィルム７０が備えられている。
【００２９】
バックシート２０には、紙おむつ１００の使用時、着用者の前胴周りから両脚の間を通り後胴周りに亘る位置を覆うように、前胴周り部２０ａと、股下部２０ｂと、後胴周り部２０ｃと、が形成されている。前胴周り部２０ａと後胴周り部２０ｃとは、股下部２０ｂよりも幅広い形状を有している。紙おむつ１００を成形する際には、前胴周り部２０ａの側端部２ａと後胴周り部２０ｃの側端部２ｃが、それぞれ固着されて脇部２２を形成することで、パンツ型の形状に形成されるようになっている。
【００３０】
また、バックシート２０の前胴周り部２０ａと後胴周り部２０ｃとにおける人体側には、胴周りシート５０が貼付されており、バックシート２０と胴周りシート５０との間においては、それぞれ弾性部材としての複数本の糸ゴム２１・・・が挟み込まれて固着されて備えられている。この糸ゴム２１・・・によって、紙おむつ１００使用時に、着用者の胴周りおよび腰周りで、紙おむつ１００が伸縮自在となるように構成されている。
【００３１】
また、バックシート２０の股下部２０ｂには、前胴周り部２０ａの一方の側端部２ａから股下部２０ｂの略中央を経て前胴周り部２０ａの他方の側端部２ａへ至る複数本の糸ゴム２３ａ…が固着されて備えられている。また、後胴周り部２０ｃの一方の側端部２ｃから股下部２０ｂの略中央を経て後胴周り部２０ｃの他方の側端部２ｃへ至る複数本の糸ゴム２３ｃ…が固着されて備えられている。これら糸ゴム２３ａや糸ゴム２３ｃは、紙おむつ１００使用時に着用者の股下やそけい部にバックシート２０をフィットさせることができるように構成されている。
【００３２】
ギャザーシート４０，４０は、紙おむつ１００におけるトップシート１０側において、吸収体３０の腹側端部３０Ａから背側端部３０Ｂにわたり、股下両端部３０Ｃに相当する位置に備えられている。
このギャザーシート４０，４０は、不透液性の不織布のシートを二つ折りにし、折り合わされた面を、例えば、ホットメルトや、ヒートシール、超音波シール等により固着させることにより形成されている。
この不織布シートを二つ折りにした折り返し部分側の端部を自由端部４１、紙おむつ本体側に固定される端部を固定端部４２とする。その固定端部４２が、トップシート１０と、バックシート２０との間に挟まれるように固着されることにより、ギャザーシート４０，４０が紙おむつ本体側に固定されている。そして、その不織布が折り合わされた面間に、複数本の糸ゴム４３・・・が挟み込まれて固着されて備えられている。
このギャザーシート４０，４０が紙おむつ１００に固着されて備えられた状態において、自由端部４１が起立することにより、高さＨを有する立体ギャザー（ギャザー部）が形成される。そして、この糸ゴム４３・・・によりギャザーシート４０は、着用者の体型に合わせて伸縮自在に変形し、着用者にフィットしやすい構造となっている。
【００３３】
このように、前述の様に構成されている紙おむつ１００が着用され使用される際、図５に示されるように、糸ゴム２１・・・が収縮することにより、トップシート１０やバックシート１０、吸収体３０の端部が、前胴周り部２０ａと後胴周り部２０ｃにおいて、その幅方向の中心側に向かって収縮する。そして、トップシート１０側に設けられているギャザーシート４０において、吸収体３０の腹側端部３０Ａや背側端部３０Ｂに位置するギャザーシート端部は、その幅方向の中心側に寄せられる。そして、そのギャザーシートの端部は、前胴周り部２０ａと後胴周り部２０ｃで、トップシート１０などとともに、吸収体コアの隅部（前隅部３３Ａ、後隅部３３Ｂ）の湾曲形状より内側の幅（Ｘ）と、ほぼ同じ幅（Ｙ）にまで収縮する。
このギャザーシート４０の端部が中心側に寄せられる際、吸収体３０の吸収体コア３の腹側端部３０Ａ及び背側端部３０Ｂにあたる四隅には湾曲形状の前隅部３３Ａ、後隅部３３Ｂが形成されているので、ギャザーシート４０の端部は、その前隅部３３Ａ、後隅部３３Ｂの形状に沿うように寄せられる。ギャザーシート４０の端部が前隅部３３Ａ、後隅部３３Ｂの形状に沿うように寄せられることにより、ギャザーシート４０にはしわがよりにくい状態が保たれる。そしてしわがよりにくいことにより、図６に示されるように、ギャザーシート４０が好適に起立した状態を維持することができる。
特に、前隅部３３Ａは吸収体コア３の中央部から長手方向腹側端部側に１５０〜２５０ｍｍの位置を基点とし、また、後隅部３３Ｂは吸収体コア３の中央部から長手方向背側端部側に１００〜２００ｍｍの位置を基点として設けられているので、前隅部３３Ａにおけるギャザーシート４０は男性排尿口の位置において起立して男性排尿口付近を覆うことができ、また、後隅部３３Ｂにおけるギャザーシート４０は座骨底部にあたる位置において起立して座骨底部付近を覆うことができるので、より人体と紙おむつ１００との間に隙間が生じにくくすることができる。
【００３４】
また、吸収体コア３に前隅部３３Ａ、後隅部３３Ｂが設けられた部分における吸収体３０の幅方向の全域に亘って、吸収体３０がバックシート２０に貼付されない非貼付領域ＮＢが設けられていることにより、バックシート２０が幅方向の中心側に向かって収縮する際に、吸収体３０はバックシート２０が収縮することによる影響を受けにくく、吸収体コア３は変形しにくい。そして、吸収体３０（吸収体コア３）の形状に沿うギャザーシート４０は、より吸収体３０（吸収体コア３）の形状に沿いやすく、よりしわが寄りにくいので、より起立しやすい。
また、股下部に相当する貼付領域３ｃは、他の貼付領域３ａ，３ｂ，３ｄ，３ｅより、その幅方向の長さが短く設定されているので、紙おむつ１００は股下部において好適にフィットすることにより、体液の吸収をしっかり行うことができる。
【００３５】
よって、好適に起立したギャザーシート４０は、より人体と紙おむつ１００との間に隙間が生じにくくすることができ、紙おむつ１００から体液が漏れるトラブルを防止することができる。
【００３６】
特に、前隅部３３Ａ、後隅部３３Ｂは、外側に凸の湾曲形状を有しているので、ギャザーシート４０の端部は、その湾曲形状に沿うように寄せられる際に、丸みを帯びた形状を呈しやすくなる。そして、ギャザーシート４０は人体の形状に近い、丸みを帯びた形状を呈することにより、より人体と紙おむつ１００との間に隙間が生じにくくすることができる。
【００３７】
また、四隅（前隅部３３Ａ、後隅部３３Ｂ）が湾曲形状を有する吸収体コア３や、ギャザーシート４０が丸みを帯びた形状を呈することにより、紙おむつ１００自体が人体の形状に近い、丸みを帯びた形状を呈しやすくなり、より人体へフィットしやすくなるので、体液が漏れるトラブルを防止するとともに紙おむつ１００の着用時の使用感が向上する。
【００３８】
なお、以上の実施の形態においては、吸収性物品を紙おむつ、特に男性用のパンツ型紙おむつを例に説明したが、本発明はこれに限定されるものではなく、吸収性物品としては、テープ止めオムツ、インナーパッド、ナプキン等であってもよく、女性用の吸収性物品であってもよい。
【００３９】
また、弾性部材としての糸ゴム２１や、糸ゴム２３ａ，２３ｃ，４３は、ゴム製に限らず、ポリウレタン製などでもよく、弾性糸であればよい。
【００４０】
また、その他、具体的な細部構造等についても適宜に変更可能であることは勿論である。
【００４１】
【発明の効果】
請求項１記載の発明によれば、吸収性物品が使用される際、吸収性物品における吸収体の腹側端部及び背側端部に位置して幅方向に配された弾性部材が収縮する。この弾性部材の収縮に応じて、吸収体はその幅方向の中心側に向かって収縮する。そして、ギャザー部の腹側端部及び背側端部に位置する端部がその幅方向の中心側に寄せられる。ギャザー部の端部が中心側に寄せられる際、吸収体の吸収体コアの四隅は面取りされて第１の隅部及び第２の隅部が形成されているので、ギャザー部の端部は、第１の隅部及び第２の隅部においてその形状に沿うように寄せられる。
このように、ギャザー部の端部が前隅部及び後隅部の形状に沿うように寄せられることにより、ギャザー部にはしわがよりにくい状態が保たれる。そしてギャザー部が好適に起立した状態を維持することができる。
よって、好適に起立したギャザー部は、より人体と吸収性物品との間に隙間が生じにくくすることができ、吸収性物品から体液が漏れるトラブルを防止することができる。特に、ギャザー部は男性排尿口付近と座骨底部付近を覆うことができるので、より好適に吸収性物品から体液が漏れるトラブルを防止することができる。
【００４２】
請求項２記載の発明によれば、請求項１に記載の発明と同様の作用を奏するとともに、吸収体コアの第１の隅部及び第２の隅部とは、外方に凸の湾曲形状を有するので、ギャザー部の端部は、吸収体コアの湾曲形状に沿うように寄せられ、丸みを帯びた形状を呈しやすくなる。
よって、ギャザー部は、丸みを帯びた形状を呈することにより人体を包み込みやすくなり、より人体と吸収性物品との間に隙間が生じにくくすることができ、吸収性物品から体液が漏れるトラブルを防止することができる。
また、第１の隅部及び第２の隅部が湾曲形状を有する吸収体コアや、ギャザー部が丸みを帯びた形状を呈することにより、吸収性物品自体が丸みを帯びた形状を呈しやすくなるので、丸みを帯びた人体へフィットしやすくなり、体液が漏れるトラブルを防止するとともに吸収性物品の着用時の使用感が向上する。
【００４３】
請求項３記載の発明によれば、請求項２に記載の発明と同様の作用を奏するとともに、吸収体コアの湾曲形状は、第１の隅部における基点と終点とを結ぶ基本線と、第２の隅部における基点と終点とを結ぶ基本線とを、それぞれ幅方向にギャザー部の高さ分だけ幅方向に平行移動させた平行線に接するように形成されているので、より好適にギャザー部にしわをよせずになめらかに広げつつ、起立させることができる。
【００４４】
請求項４記載の発明によれば、請求項１〜３の何れか一項に記載の発明と同様の作用を奏するとともに、吸収体に設けられた貼付領域の幅方向の長さは、吸収体における長手方向の端部側より、長手方向の中央側の方が短いので、吸収性物品は、より中央側でフィットしやすくなる。つまり、吸収性物品は股下部において好適にフィットすることにより、体液の吸収をしっかり行うことができる。
【００４５】
請求項５記載の発明によれば、請求項４に記載の発明と同様の作用を奏するとともに、吸収体にはバックシートに貼付されて固定される貼付領域と、バックシートに貼付されない非貼付領域とが設けられている。
その非貼付領域は、吸収体コアに第１の隅部及び第２の隅部とが設けられた部分における吸収体の幅方向の全域に亘って設けられているので、吸収体の腹側端部及び背側端部に位置して幅方向に配された弾性部材の収縮に応じて、バックシートが幅方向の中心側に向かって収縮する際に、吸収体の腹側端部及び背側端部はバックシートが収縮することによる影響を受けにくく、その形状を維持する。従って、ギャザー部は、その形状が維持される吸収体の吸収体コアの形状に沿いやすくなる。
よって、ギャザー部はより好適に起立しやすくなり、より人体と吸収性物品との間に隙間が生じにくくすることができ、吸収性物品から体液が漏れるトラブルを防止することができる。
【図面の簡単な説明】
【図１】本発明にかかる紙おむつを示す斜視図である。
【図２】本発明にかかる紙おむつの両脇部分を切り離して展開した平面図である。
【図３】図２のＩＩＩ−ＩＩＩ線における断面を示す模式図である。
【図４】吸収体コアの湾曲形状の説明図である。
【図５】ギャザーシートが起立する状態を示す説明図である。
【図６】図５のＶＩ−ＶＩ線における断面を示す模式図である。
【図７】従来の紙おむつを示す斜視図である。
【符号の説明】
１０      トップシート
２０      バックシート
２０ａ    前胴周り部
２ａ      側端部
２０ｂ    股下部
２０ｃ    後胴周り部
２ｃ      側端部
２１      糸ゴム（弾性部材）
３０      吸収体
３０Ａ    腹側端部
３０Ｂ    背側端部
３０Ｃ    股下両端部
３        吸収体コア
３３Ａ    前隅部（第１の隅部）
３３Ｂ    後隅部（第２の隅部）
３ａ，３ｂ，３ｃ，３ｄ，３ｅ  貼付領域
ＮＢ      非貼付領域
４０      ギャザーシート（ギャザー部）
１００    紙おむつ（吸収性物品）
α        基点
α’      終点
α−α’  基本線
β        平行線
【図１】
2004298395.tif 000003
【図２】
2004298395.tif 000004
【図３】
2004298395.tif 000005
【図４】
2004298395.tif 000006
【図５】
2004298395.tif 000007
【図６】
2004298395.tif 000008
【図７】
2004298395.tif 000009